(57)【特許請求の範囲】
【請求項１】
記憶装置およびディスプレイ装置を備える車載ナビゲーション装置を用いた、車両の操作のための電子マニュアルを表示するプログラム制御の表示装置であって、
該表示装置は、前記電子マニュアルのメニュー画面からスイッチ説明用のボタンが選択されることに応じて、該ボタンにリンクしている操作説明の画面を前記記憶装置から読み出して前記ディスプレイ装置に表示するよう構成され、
前記操作説明の画面は、前記スイッチの操作位置を説明するイラストおよび該操作位置で得られる車両の作動状態を示すイラストが並べて表示され、前記スイッチの操作位置を説明するイラストの変更に応じて、前記作動状態を示すイラストが該操作位置で得られる車両の作動状態を示すイラストに同時に変更されるよう構成されている、
電子マニュアルの表示装置。
【請求項２】
前記操作説明の画面は、前記スイッチの複数の操作位置について、所定時間間隔で順次に変更表示されるように構成される、請求項１に記載の表示装置。
【請求項３】
前記操作説明の画面は、前記スイッチの連続的な操作位置について、短時間の間隔で連続的に変更表示されるように構成される、請求項１に記載の表示装置。
【請求項４】
前記ディスプレイ装置はタッチパネル・ディスプレイ装置であり、前記選択は、該ディスプレイ装置の画面にタッチすることにより行われる、請求項１、２または３に記載の表示装置。
【発明の詳細な説明】
【技術分野】
【０００１】
この発明は、車載のナビゲーション装置を用いて電子マニュアルを表示する表示装置に関する。
【背景技術】
【０００２】
車両には車両を構成するそれぞれの部位の操作方法をユーザに説明するマニュアル本が添付されている。ユーザは、目次を参照して関心のある部位に関する説明が記載されているページを探して閲覧する。近年、車両の機能が複雑になるにしたがって、マニュアルのページ数が多くなり、求めるページを探すのに手間がかかるほか、手めくりでの検索では必要とする情報に行き着くのに困難が経験されている。
【０００３】
本願の出願人は、特許文献１において、車載のナビゲーションシステムの地図表示用のモニタ画面を利用して電子マニュアルを表示することを提案した。車両の部位の位置や操作方法を静止画および動画を組み合わせて表示するので、理解しやすい操作説明とすることができ、電子的に所望の箇所を検索することができるので、利便性が向上する。この方法によれば、分厚いマニュアル本に比べて検索が容易であり、操作方法などの説明を画面上でイラストなどにより確認できるので、ユーザにとって理解しやすいものになる。
【０００４】
しかし、このような画面表示では、所望の部分を検索するにあたって、部位の名称や位置などユーザが予め知っている情報を指標にして検索を行うから、依然として検索に手間取ることが予測される。
【０００５】
例えば、新車引取り時や、レンタカーその他の借りた車など、慣れない車を使うとき、各種ライトのスイッチ、ワイパースイッチ等のスイッチ類は、車種によって位置や操作方法が若干異なる場合があるので、運転開始前に位置や操作方法を確認するときに戸惑うことが多く、このような場合でも戸惑いなく簡単に確認できる表示が望まれる。
【０００６】
また従来の操作説明では、実際の操作と該操作によって得られる車両側の作動状態については、順番に画像表示をするか該画像に文字併記表示をするかであったので、実際の操作と該操作によって得られる車両側の作動状態を確認するまでに時間がかかり、煩わしさを伴う場合もあった。
【特許文献１】特許第3629201号公報
【発明の開示】
【発明が解決しようとする課題】
【０００７】
この発明は、車載ナビゲーションシステムを利用した電子マニュアルの表示において、車両の使用時にユーザが使用するスイッチ類の位置および操作方法をユーザが認識するのを助勢する電子マニュアル表示装置を提供することを目的とする。
【課題を解決するための手段】
【０００８】
上記の課題を解決するため、この発明は、記憶装置およびディスプレイ装置を備える車載ナビゲーション装置を用いた、車両の操作のための電子マニュアルを表示するプログラム制御の表示装置を提供する。
【０００９】
この表示装置は、前記電子マニュアルのメニュー画面からスイッチ説明用のボタンが選択されることに応じて、該ボタンにリンクしている操作説明の画面を前記記憶装置から読み出して前記ディスプレイ装置に表示するよう構成され、前記操作説明の画面は、前記スイッチの操作位置を説明するイラストおよび該操作位置で得られる車両の作動状態を示すイラストが並べて表示され、前記スイッチの操作位置を説明するイラストの変更に応じて、前記作動状態を示すイラストが該操作位置で得られる車両の作動状態を示すイラストに同時に変更されるよう構成されている。
【００１０】
この発明の一形態においては、表示装置の操作説明の画面は、スイッチの複数の操作位置について、所定時間間隔で順次に変更表示されるように構成されている。
【００１１】
この発明のもう一つの形態では、表示装置の操作説明の画面は、スイッチの連続的な操作位置について、短時間の間隔で連続的に変更表示されるように構成されている。
【００１２】
この発明のもう一つの形態では、ディスプレイ装置はタッチパネル・ディスプレイ装置であり、前記の選択は、ディスプレイ装置の画面にタッチすることにより行われる。
【００１３】
この発明によると、ユーザは、操作説明が必要なスイッチの操作方法および操作位置と該スイッチの操作に応じた車両の作動状態を同一画面上に並べて表示できるため、実際の操作と操作結果についての作動状態を同時に対比しながら確認することができる。また、複数の操作位置がある場合には所定時間の間隔で順次変更表示することので、該スイッチの一連の操作および関連する複数の操作位置についてより簡単に理解することができる。さらに、連続的な操作位置の変更については、短時間の間隔で連続的に変更表示することで、一目で理解させることが可能になる。
【００１４】
したがって、新車、借りた車など、不案内な車を使用するときでも、短時間でスイッチ類の操作を認識することが可能になる。
【発明を実施するための最良の形態】
【００１５】
次に図面を参照しながら、この発明の実施の形態を説明する。図１は、この発明に係る電子マニュアル表示装置の一実施例の全体的な構成を表すブロック図である。この電子マニュアル表示装置は、車載のナビゲーション装置と一体をなしており、コントローラ11は、ナビゲーション装置のコントローラであり、マイクロプロセッサを備えた小型のコンピュータである。ナビゲーション装置は、プロセッサに作業領域を与えるランダムアクセスメモリ（RAM）、制御プログラムを格納している読み取り専用メモリ（ROM）、およびアプリケーションプログラムを格納する不揮発性の記憶装置を備えている。記憶装置は、ハードディスク記憶装置でもよく、DVD、CDまたはSDカードであってもよい。DVD、CDまたはSDカードを記憶装置として使用するときには、ナビゲーション装置は、DVD、CDまたはSDカードの読み取り装置を備えている必要がある。
【００１６】
図１のカーナビプログラム13、電子マニュアル・プログラム15、および画面集16は、上記のような不揮発性の記憶装置に格納されている。ナビゲーション装置は、この実施例ではタッチパネル・ディスプレイ装置17を備えている。代替的にディスプレイ装置17は、タッチパネル機能を持たない通常の液晶ディスプレイ装置であってもよく、画面の周辺のフレームに設けられた入力ボタンを用いて操作のための入力をするようにしてもよい。
【００１７】
ユーザは、ナビゲーション装置のディスプレイ画面に表示される図２(A)に示す情報メニューのメニュー画面から、所望の機能を選択することができる。このメニュー画面に表示される車体簡易マニュアルの選択ボタンが選択されると、記憶装置から電子マニュアル・プログラム15が読み出される。
【００１８】
電子マニュアル・プログラム15はツリー構造をしており、装備ツリー19a、運転ツリー19b、燃料ツリー19c、開錠・施錠ツリー19d、その他のツリーを含んでいる。図２(B)は、電子マニュアル・プログラム15が起動して最初にディスプレイ装置17に表示される車体簡易マニュアルのメニュー画面で、これらのツリーの選択ボタンが表示されている。
【００１９】
いま、ユーザが「装備」ボタンにタッチ(＝選択)すると、タッチ信号がディスプレイ装置17からコントローラ11に送られる。電子マニュアル・プログラム15は、この信号に応じて、「装備」ボタンにリンクしている、ツリーの最初のメニュー画面を画面集16から読み出してディスプレイ装置17に表示する。図２(C)は、こうしてディスプレイ装置17に表示される装備のメニュー画面を表わしている。装備ツリー19aの第１層には、スイッチ21a、エアコン21b、フレキシブルラゲッジボード21c、およびセキュリティ・システム21dが含まれており、図２（C）に示すようにボタンとして画面に表示される。
【００２０】
いま、ユーザが図２（C）の画面の「スイッチ」ボタンにタッチすると、このボタンにリンクしている画像が、画面集16から読み出されて図３(A)に示すようにディスプレイ装置17に表示される。
【００２１】
図３(A)および図１を参照すると、装備ツリー19aの第２層には、ワイパー23a、ライト23b、ヘッドライトレベリングダイヤル23c、およびハザード（ランプ）23dの４つのスイッチが含まれる。
【００２２】
図３(A)の右方の画像部にはこれらの４つのスイッチを含む、運転席から見た車両内の視界領域を表す画像が表示されている。特にこの画像の中で、上記の４つのスイッチ部分の位置にそれぞれ赤い円のマークを囲み、該マークは操作ボタンとして表示されている。また、図３(A)に示す画面の左方には、右方の画像部から離れた見やすい位置に上記の４つのスイッチの名称を表す文字列が同色の操作ボタンとして整列配置されている。
【００２３】
図３(A)の左方のスイッチの名称で整列配置される各名称を表す操作ボタンと、右方の画像部のスイッチの位置でマークされた操作ボタンは、スイッチの名称とこれに対応するスイッチの位置を示すものとしてそれぞれ連動している。どちらか一方の操作ボタンをタッチすることで、該スイッチに関する第２層23a〜23dの操作説明画面へリンクすることができるように構成されている。
【００２４】
図３(A)の表示画面で、ユーザが、左方の操作ボタンのうち「ワイパー」ボタン31をタッチすると、「ワイパー」の文字列の表示色が変化してアクティブ状態であることを強調表示すると同時に、右方の画像部の「ワイパー」ボタン31のマーク内全体が赤色の半透明色に変化してアクティブ状態であることを強調表示する。その後、所定時間経過（例えば2.0秒）すると、画面集16から装備ツリー19aの第２層のワイパー23aの画面が読み出されて、図３(B)に示すようにディスプレイ装置17に表示される。
【００２５】
図３(B)は、ワイパー23aの操作説明の画面を示している。画面左方には、図３(A)と同様に４つのスイッチの名称を表す文字列が縦に並べて表示され、このうち「ワイパー」の文字列が強調表示されている。画面中央には、説明用にワイパースイッチの操作を表すイラストが配置されている。画面右方には、ワイパースイッチの操作と該操作に対応するワイパーの作動状態の文字列を表状態にして記載したイラストが配置されている。画面下方にある「リヤワイパー」ボタン35は、装備ツリーの第３層のリヤワイパー25aの画面にリンクしている。
【００２６】
図３(B)の中央に示すように、ワイパースイッチの操作位置を「ＭＩＳＴ」「ＯＦＦ」「ＩＮＴ」「ＬＯ」「ＨＩ」の５つの操作位置に上下に操作すると、ワイパーは「一時作動」「停止」「間欠作動」「低速作動」「高速作動」のそれぞれの作動状態になる。
【００２７】
図３(B)の中央のイラストは、ワイパースイッチの上記の５つの操作位置を表示するイラストで構成され、各イラストが所定時間間隔で１コマずつ自動的に切り替え表示される。該イラストの切り替え表示に連動して、該イラストに対応する右方のイラストの行が強調表示される。例えば、ワイパースイッチのイラストが「ＭＩＳＴ」操作位置では、「ＭＩＳＴ／一時作動」の行の色が変わって強調表示され、次にイラストが「ＯＦＦ」操作位置へ移動すると、「ＭＩＳＴ／一時作動」の行の色はもとに戻り、「ＯＦＦ／停止」の行の色が変わって強調表示される。
【００２８】
本実施形態によると、ユーザは「ワイパー」のスイッチの位置がわからなくても、画面上で名称をタッチすることで運転席と同じレイアウト表示の画面上で運転席の「ワイパーのスイッチの位置」を直ちに確認することができる。また、スイッチの位置を示すマークを画像上でタッチすることで、そのスイッチが何のスイッチであるかを直ちに確認することができる。さらに、名称で表された操作ボタンとマークされた操作ボタンがそれぞれ連動しているため、どちらからでも知りたいスイッチの操作説明画面へ移動でき、操作がきわめて簡単になる。さらに、同じ画面上で操作とその操作結果による作動状態が同時に表示され、１コマずつ自動で切り替わっていくことにより、視覚的に関連する複数の操作位置を簡単に理解することができる。
【００２９】
なお一実施形態では、表中の作動状態を音声メッセージでも行う。
【００３０】
図３(A)に戻り、別の操作ボタンの「ライト」ボタン32をタッチした場合について説明する。図３(A)の表示画面で「ライト」ボタン32にユーザがタッチすると、「ライト」の文字列の表示色が変化してアクティブ状態であることを強調表示すると同時に、右方の画像部の「ライト」ボタン32のマーク内全体が赤色の半透明色に変化してアクティブ状態であることを強調表示する。そして所定時間経過（例えば、2.0秒）すると、画面集16から装備ツリー19aの第２層のライト23bの画面が読み出されて、図４(A)に示すようにディスプレイ装置17に表示される。
【００３１】
図４(A)は、ライト23bの操作説明の画面を示している。図３(A)と同様にこの画面左方には４つのスイッチの名称の文字列が縦に並べて表示され、この「ライト」の文字列が強調表示される。画面の上方には、ライトスイッチに表示されている「ＯＦＦ」ボタン41、「スモールライトオン（キャラクター表示）」ボタン42、「ＡＵＴＯ（自動点等）」ボタン43、「ヘッドライトオン（キャラクター表示）」ボタン44が配置されている。画面の右方中央には、ライトスイッチの操作位置を表すイラストとスイッチの操作による車両の作動状態を表示するための車両の正面図が配置されている。画面下方には、「ハイビーム」ボタン45、および「パッシング」ボタン46が配置されている。
【００３２】
図４(A)の右方中央のライトスイッチのイラストに示すように、ライトスイッチには、上記４つの文字およびキャラクターが表示されている。ライトスイッチを回転し、該４つの文字列およびキャラクターの各操作位置に合わせると、車両正面図のライトは「ＯＦＦ」「スモールライトオン」「ＡＵＴＯ（自動点等）」「ヘッドライトオン」のそれぞれの作動状態になる。
【００３３】
ライトスイッチのイラストを回転表示させる操作は、図４(A)上方の４つのボタン41〜44のうちのいずれかにタッチすることで行う。いずれかのボタン41〜44がタッチされると、図４(A)右方中央のイラスト表示は、該タッチされたボタンに対応する、ライトスイッチの操作位置を表示するイラストおよび車両の作動状態を表示する正面図に切り替え表示される。例えば、「スモールライトオン」ボタン42をタッチすると、「スモールライトオン」ボタン42の色が変わって強調表示され、画像中のライトスイッチがスモールライトオンの操作位置へ回転した図に切り替わり、画像中の車両はスモールライトが点灯した図に切り替わる。
【００３４】
「ＡＵＴＯ」ボタン43をタッチすると、「ＡＵＴＯ」ボタン43の色が変わって強調表示され、画像中の操作スイッチがＡＵＴＯの操作位置へ回転した図に切り替わり、画像中の車両はスモールライトとヘッドライトが点灯した図に切り替り、「暗くなると自動で点灯する」ことを音声メッセージにて繰り返して行う。「ＯＦＦ」ボタン41、「ヘッドライトオン（キャラクター表示）」ボタン44についても同様に、画像中の操作スイッチが回転した図と、車両の作動状態を示す図に切り替わる。
【００３５】
本実施形態によると、操作スイッチの操作位置に対応する作動状態を実際の車両のイラスト中に対応させて表示することにより、容易に確認できると共に、体感的な理解を促進することができる。
【００３６】
次に、図４(A)の画面の下方に配置されている「ハイビーム」ボタン45および「パッシング」ボタン46について説明する。「ハイビーム」ボタン45および「パッシング」ボタン46は、第３層のハイビーム25bおよびパッシング25cの画面にそれぞれリンクしている。
【００３７】
ユーザが「ハイビーム」ボタン45にタッチすると、画面集16から装備ツリー19aの第３層のハイビーム25bの画面が読み出されて、図４(B)に示すようにディスプレイ装置17に表示される。
【００３８】
図４(B)は、ハイビーム25bの操作説明の画面を示している。図４(A)と同様にこの画面左方には４つのスイッチの名称の文字列が縦に並べて表示される。画面の中央から右方には、ライトスイッチの操作を表すイラストと車両の側面図が配置されている。
【００３９】
ライトスイッチの操作位置を奥に押すように操作するとライトはハイビームの作動状態なり、手前に戻すように操作するとロービームの作動状態になる。
【００４０】
図４(B)の画面の中央のライトスイッチの操作を表すイラストは、ライトスイッチの操作位置を奥に押したイラストと手前に戻したイラストが所定時間間隔で１コマずつ自動的に切り替え表示される。該イラストの切り替え表示に連動して、画面の右方の車両イラストは、車両のヘッドライトの照射範囲が上方または下方に切り替えられて表示される。
【００４１】
本実施形態によると、上記のような照射範囲の上下の切り替えに伴う実際の作動状況は、相手側への影響は大きいものの運転席内では直接把握しにくい傾向があるが、実際の車両のイラスト中で照射範囲（光軸）の上下作動を表示することで、擬似体感的な理解を深めることが可能である。
【００４２】
図４(A)に戻り「パッシング」ボタン46の説明をする。ユーザが「パッシング」ボタン46にタッチすると、画面集16から装備ツリー19aの第３層のハイビーム25cの画面が読み出されて、図４(C)に示すようにディスプレイ装置17に表示される。
【００４３】
図４(C)は、パッシング25cの操作説明の画面を示している。図４(A)と同様にこの画面左方には４つのスイッチの名称の文字列が縦に並べて表示される。画面の中央から右方には、パッシングの操作を表すイラストと車両の正面図が配置されている。
【００４４】
ライトスイッチの操作位置を手前に引くように操作するとライトはパッシングの作動状態になり、奥に戻すように操作すると消灯の作動状態になる。
【００４５】
図４(C)の画面の中央のライトスイッチの操作を表すイラストは、ライトスイッチの操作位置を手前に引いたイラストと奥に戻したイラストが所定時間間隔で１コマずつ自動的に切り替え表示される。該イラストの切り替え表示に連動して、画面の右方の車両イラストは車両のヘッドライトが点灯または消灯した作動状態に切り替えられて表示される。
【００４６】
図３(A)に戻り、「ヘッドライトレベリングダイヤル」ボタン33をタッチした場合について説明する。ユーザが「ヘッドライトレベリングダイヤル」ボタン33をタッチすると、画面集16から装備ツリー19aの第２層のヘッドライトレベリングダイヤル23cの画面が読み出されて、図５(A)に示すようにディスプレイ装置17に表示される。
【００４７】
図３(A)と同様に、この画面左方には、４つのスイッチの名称を表す文字列が縦に並べて表示され、このうち「ヘッドライトレベリングダイヤル」の文字列が強調表示される。画面の中央から右方には、レベリングの操作を表すイラストと車両の側面図が配置されている。
【００４８】
レベリングダイヤルの操作位置を上下に回転するよう操作すると、ヘッドライトの照射範囲（光軸の高さ）は上方向または下方向の作動状態になる。
【００４９】
図５(A)の画面の中央のイラストは、レベリングダイヤルの操作位置を上下に移動した複数のイラストがごく短時間の時間間隔で１コマずつ自動的に切り替え表示され、動画状態で表示される。該イラストの切り替え表示に連動して、画面の右方の車両イラストも、車両のヘッドライトの照射範囲を上下方向に動画で連続的に切り替えられて表示される。
【００５０】
本実施形態によると、レベリングダイヤルを回動させれば照射範囲（光軸）が連続的に上下することを一目で理解させることが可能になる。
【００５１】
なお一実施形態では、この機能については、どのような場合に行うのかの要点を文字で画面表示すると共に、音声メッセージでも解説を行う。
【００５２】
図３(A)に戻り、「ハザード」ボタン34をタッチした場合について説明する。ユーザが「ハザード」ボタン34をタッチすると、画面集16から装備ツリー19aの第２層のハザード23dの画面が読み出されて、図５(B)に示すようにディスプレイ装置17に表示される。
【００５３】
図３(A)と同様に、この画面左方には、４つのスイッチの名称を表す文字列が縦に並べて表示され、このうち「ハザード」の文字列が強調表示される。画面の中央から右方には、ハザードの操作を表すイラストと車両の平面図が配置されている。
【００５４】
ハザードスイッチは、ハザードスイッチの操作位置をＯＮ（奥に押した状態）にするよう操作するとすべての方向指示器が点滅する作動状態になり、ハザードスイッチの操作位置をＯＦＦ（戻した状態）にするよう操作すると方向指示器が消灯した作動状態になる。
【００５５】
図５(B)の画面の中央のイラストは、ハザードスイッチをＯＮまたはＯＦＦの操作位置にしたイラストが所定時間間隔で１コマずつ自動的に切り替え表示される。該イラストのＯＮ操作位置への切り替え表示に連動して、画面の右方の車両イラストは車両の方向指示器が点灯と消灯を交互に繰り返す点滅作動状態に切り替えられて表示される。この場合の点減作動状態は、点灯および消灯イラストの交互表示で構成される。
【００５６】
なお、本実施形態では、「ワイパー」「ライト」「ヘッドライトレベリングダイヤル」「ハザード」の各スイッチは、図３(A)のメニュー画面から選択する操作について説明したが、他のいずれの説明画面の左方に表示されているボタンから選択操作することも可能である。
【００５７】
また、音声ガイドは特に効果が高い部分について、付設状況を説明したが、他の部分の説明についても適宜設けることが好ましい。
【００５８】
以上にこの発明を具体的な実施例を参照して説明したが、この発明はこのような実施例に限定されるものではない。
【図面の簡単な説明】
【００５９】
【図１】この発明の電子マニュアル表示装置の全体的な構成を示すブロック図。
【図２】この発明の実施例におけるディスプレイ装置の画面の一例を示す図。
【図３】この発明の実施例におけるディスプレイ装置の画面の一例を示す図。
【図４】この発明の実施例におけるディスプレイ装置の画面の一例を示す図。
【図５】この発明の実施例におけるディスプレイ装置の画面の一例を示す図。
【符号の説明】
【００６０】
１１      コントローラ
１５      電子マニュアル・プログラム
１６      画面集
１７      ディスプレイ装置
【図１】
0004866876.tif 000002
【図２】
0004866876.tif 000003
【図３】
0004866876.tif 000004
【図４】
0004866876.tif 000005
【図５】
0004866876.tif 000006